Podtech/llm-jp-corpus-v4-ja_patent huggingface dataset:
(57)【要約】【課題】家庭で飼う犬もしくは猫などのペットの毛が生え変わる時期、抜け毛に困る。通常のブラシでブラッシングをすれば、屋外でも毛は飛び散ることになり、室内であれば、その毛が部屋に充満して人体にも悪影響となる。ペットの毛が抜け変わる時期にはいつも悩んでいることであったが、その悩みをどうにかして解決できないかとの悩みから本考案に行き着いた。【解決手段】本考案は、毛の抜け変わる時期のペットのブラッシングをする際、まず同案の袋をブラシに被せ、ブラシ部を袋のメッシュ地の間から外に出し、ブラッシングを行う。その後、その袋を裏返し、ブラッシングにて抜けた毛を覆うように袋詰めして周囲に装着した紐で縛き、抜け毛を巾着内に詰め込み状態にしてそのまま処理する。【選択図】図１
0003136131.tif 000002
【実用新案登録請求の範囲】
【請求項１】
ペット用ブラシに適応するシート式抜け毛袋の形状
（１）専用ブラシに被せて覆うように使用する。
（２）ブラシ部がメッシュ地の袋の目地から容易に出るようにする。
（３）ブラッシングによって抜け毛がいっぱいになった後、ブラシに被せた袋をひっくり返すことによって、抜け毛がその袋の中に入れ込むかたちとなる。
（４）巾着式に包み込まれた抜け毛はそのまま紐で袋の中に入れ込まれて、あとはゴミとして袋ごと捨てる。
【考案の詳細な説明】
【技術分野】
【０００１】本考案は、ペットのブラッシング等で抜ける毛を散らさないようにブラシについた抜け毛をすべて袋の中に入れ込めることによって処分も簡単に出来るアイディアである。
【背景技術】
【０００２】ブラッシング時にブラシ部に付着する抜け毛をそのまままとめ、袋の中に丸め込むことによって処分が楽になる。
袋の素材は綿、麻、絹などの天然繊維、もしくは不織布、アクリル、ポリエステルなどのメッシュ地のものになる。
【考案の開示】
【考案の解決しようとする課題】
【０００３】家庭で飼う犬もしくは猫などのペットの毛が生え変わる時期、抜け毛に困る。通常のブラシでブラッシングをすれば、屋外でも毛は飛び散ることになり、室内であれば、その毛が部屋に充満して人体にも悪影響となる。ペットの毛が抜け変わる時期にはいつも悩んでいることであったが、その悩みをどうにかして解決できないかという悩みから本考案に行き着いた。
【課題を解決するための手段】
【０００４】専用のブラシに同案の抜け毛専用の袋を被せ、ブラシの部分に目を通しブラッシングの際に毛がその袋とブラシ部に挟まる感じにする。ブラシ部に掛かった抜け毛をそのままにし、その袋をひっくり返しまとめて袋の中抜け毛を覆うようにすれば、その袋に抜け毛でいっぱいになる。そしてその袋の口を締め、そのままゴミとして処理する。
【考案の効果】
【０００５】同考案は、通常犬もしくは猫などペットのブラッシング、特に毛の抜け替わる時期に困る抜け毛の処理に際し、シート式のものを使用してブラシ部にブラッシング前に装着してからそのシートを脱却する際に抜け毛をまとめて取る方式は存在したが、それらの毛を飛び散ることなく袋状にして手軽に処理することは出来なかった。
この考案によって毛の抜け替わる時期のペット・ブラッシングをより快適かつ簡単スムーズに行うことが出来るようになる。
【考案を実施するための最良の状態】
【０００６】毛の抜け変わる時期のペットのブラッシングをする際、まず同案の袋をブラシに被せ、ブラシ部を袋のメッシュ地の間から外に出し、ブラッシングを行う。その後、その袋を裏返し、ブラッシングにて抜けた毛を覆うように袋詰めして周囲に装着した紐で縛き、抜け毛を巾着内に詰め込んだ状態にしてそのまま処理する。
【実施例】
【０００７】以下、添付図面に従って一実例を説明する。図１はブラシと抜け毛を包み込む袋のイメージ図である。【０００８】同考案は▲３▼の袋本体と▲１▼のブラシによる組み合わせ考案である。【０００９】▲１▼のブラシを▲３▼の袋に被せ、▲１▼のブラシ部▲２▼を袋のメッシュ地から刺し出す。【００１０】ブラシ部▲２▼にてペットのボディ・ブラッシングを行い、抜けた毛がブラッシングによって▲２▼のブラシ部にいっぱいになったら、▲３▼の端部▲５▼をひっくり返すようにブラシ部に持っていく。【００１１】▲３▼の袋によって▲２▼のブラシ部のペットの抜け毛が覆われたら、あらかじめ▲３▼に装着されている▲４▼の紐を縛ることによって巾着状態となり、抜け毛は袋の中にしまい込まれるかたちとなる。【００１２】▲３▼の袋を巾着状にすると、抜け毛がその中に詰まる形となり、直ちに袋を▲２▼ないし▲１▼のブラシから取り外し、ゴミとして処分する。
【図面の簡単な説明】
【００１３】
【図１】同抜け毛用ブラシおよび袋を使用した際のイメージ図である。
【符号の説明】
【００１４】▲１▼抜け毛用ブラシ
▲２▼同上ブラシ部
▲３▼巾着式袋部
▲４▼同上紐部
▲５▼袋部袖部分
【図１】
0003136131.tif 000003
【手続補正書】
【提出日】平成19年4月18日(2007.4.18)
【手続補正１】
【補正対象書類名】実用新案登録請求の範囲
【補正対象項目名】全文
【補正方法】変更
【補正の内容】
【実用新案登録請求の範囲】
【請求項１】
ペット用ブラシに適応するメッシュ地抜け毛袋の形状および使用法は、
（１）  犬、および猫などの家庭用ペットをブラッシングする際、適切な大きさのブラシに被せて覆い使用する上で、その寸法に見合う袋状のサイズであり、
（２）  被せたブラシのピン部が袋のメッシュ地から外側にスムースに出るような形状であり、
（３）  ブラッシングによって被せたメッシュ地から出たピン部に抜け毛がいっぱいになった際、そのメッシュ地の袋をひっくり返すことにより抜け毛を内部に入れ込み、
（４）  袋内に詰め込まれる形状となった抜け毛は、袋に装着されている巾着式の紐部により袋内にそのまま内部に入れ込まれた際、抜け毛の入った袋は紐で結わかれることにより、そのままゴミとして部屋等、付近に抜け毛が散ることもなく衛生的に袋ごと廃棄されるものである。
【手続補正書】
【提出日】平成19年7月4日(2007.7.4)
【手続補正１】
【補正対象書類名】実用新案登録請求の範囲
【補正対象項目名】全文
【補正方法】変更
【補正の内容】
【実用新案登録請求の範囲】
【請求項１】
当考案におけるペット用ブラシに適応するメッシュ地抜け毛袋は、
（１）犬、および猫などの家庭用ペットをブラッシングする際、適切な大きさのブラシに被せて覆い使用するもので、被せたブラシのピン部が袋のメッシュ地から外側に出た部分により犬等のペットの抜け毛を束ね、
（２）ブラッシングによってメッシュ地から出たピン部に抜け毛がいっぱいになった際、そのメッシュ地の袋をひっくり返すことにより抜け毛を内部に入れ込み、
（３）袋内に詰め込まれる形状となった抜け毛は、袋に装着されている巾着式の紐部により袋内にそのまま内部に入れ込まれた際、抜け毛の入った袋は巾着状もしくはテープなどで袋口を紐で結わかれることにより、そのままゴミとして部屋等、付近に抜け毛が散ることもなく衛生的に袋ごと廃棄される形状のメッシュ地抜け毛袋である。
(57)【要約】【課題】  団扇に、各自の目的にあった芳香液の香りが発生するカ−トリッジを組み込むことにより、風による爽快感と同時に芳香作用によるアロマ効果が得られる団扇を提供する。【解決手段】  内部に香りを発生する芳香液を収納したカ−トリッジを団扇の持ち手に取り付けて、使用しないときには、香りが揮発しないようにカ−トリッジ上部の芳香液注入口に蓋を設けて課題を解決している。【選択図】図４
0003136134.tif 000002
【実用新案登録請求の範囲】
【請求項１】
うちわ本体に芳香を発生するカートリッジを設置したことを特徴とする「芳香カートリッジ付うちわ」
芳香液は、液状のミント系ハーブ等で清涼感と精神的安らぎを与える。
【考案の詳細な説明】
【技術分野】
【０００１】  この考案は、芳香を発生する「芳香カートリッジ付うちわ」に関するものである。
【背景技術】
【０００２】実用新案登録されている香りの出るうちわは、布・和紙などに香りを吸着されているもので、香りが短時間で揮発し香りが薄れてしまうものでカートリッジ内に注入された芳香液は使用しないときにはカートリッジに蓋をして揮発を防ぐことが出来る。
また、芳香液が足りなくなれば注入するか、別のカートリッジと取り替えることが可能【０００３】芳香液は、好きな香りを楽しめると共に季節に合わせた香りを味わうことが出来ます。
いつでも清涼感・爽快感が味わうことが出来、その効果はいつまでも「香りのうちわ」として使用することが出来ます。
【考案が解決しようとする課題】
【０００３】  １）カートリッジに注入する芳香液は揮発しないように、カートリッジの芳香液の注入口に蓋を取り付け、蓋はカートリッジに鎖で繋ぎます。
２）取り替えようのカートリッジは、ラベンダー、スズラン、バラ、ハッカなどの各種のハーブから抽出したハーブ油を好きな香りを楽しめるようにする。
３）カートリッジは簡単に取り替えることが可能で、気分によって好みの香りを楽しむことが出来、精神バランスを保つことが出来る。
４）香りを楽しむときには、カートリッジの蓋を開けて芳香カートリッジうちわを使用する。
【課題を解決するための手段】
【０００４】  １）デザイン性の高いカートリッジを制作する。
２）うちわの持ち手に取り付けるカートリッジは、簡単に取り外しが出来る。
３）芳香液が注入されたカートリッジは、うちわを使用するときにはカートリッジの蓋を開ける。
４）うちわを使用しないときにはカートリッジの蓋を閉じる。
５）カートリッジに取り付ける蓋は鎖を取り付ける。
【符号の説明】
【０００２】図１は、芳香液を注入するカートリッジの全図
図１−▲１▼芳香液を注入する口・芳香液が揮発し為の蓋
図１−▲２▼芳香液を保存する部分
図１−▲３▼うちわの持ち手を挿入する部分
図２はカートリッジの上面部からの図
図３はうちわをカートリッジに取り付けた側面図
図４はうちわをカートリッジに取り付けた正面図
【符号の説明】
図１は、芳香液を注入するカートリッジの全図
図１−▲１▼芳香液を注入する口・芳香液が揮発しない為の蓋（蓋はカートリッジに鎖で繋ぐ）
図１−▲２▼芳香液を保存する部分
図１−▲３▼うちわの持ち手を挿入する部分
図２は、カートリッジの上面部からの図
図２−▲１▼芳香液を注入する口・芳香液が揮発しない為の蓋（蓋はカートリッジに鎖で繋ぐ）
図３は、うちわをカートリッジに取り付けた側面図
図３−▲２▼芳香液を保存する部分
図３−▲３▼うちわの持ち手を挿入する部分
図４は、うちわをカートリッジに取り付けた正面図
図４−▲２▼芳香液を保存する部分
図４−▲３▼うちわの持ち手を挿入する部分
【図１】
0003136134.tif 000003
【図２】
0003136134.tif 000004
【図３】
0003136134.tif 000005
【図４】
0003136134.tif 000006
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
芳香液を注入することが出来るように鎖で結ばれる蓋を上部に設けるとともに持ち手挿入部分を形成するカ−トリッジの該持ち手挿入部分に団扇の持ち手を挿入して成る芳香カ−トリッジ団扇。
【手続補正２】
【補正対象書類名】明細書
【補正対象項目名】全文
【補正方法】変更
【補正の内容】
【考案の詳細な説明】
【技術分野】
【０００１】  この考案は、芳香を発生する「芳香カ−トリッジ付団扇」に関するものである。
【背景技術】
【０００２】  現在知られている香りの出る団扇は、布・和紙などに香りを吸着させているものであり、香りが短時間で揮発して香りが薄れてしまうものである。
【考案の開示】
【考案が解決しようとする課題】
【０００３】  芳香液は、好きな香りを楽しめると共に季節に合わせた香りを味わうことが出来、いつでも清涼感・爽快感を味わうことが出来るので、何時までも「香りの団扇」としての効果を有するように、
１）カ−トリッジに注入する芳香液は揮発しないように、カ−トリッジの芳香液の注入口に蓋を取り付け、蓋はカ−トリッジに鎖で繋ぐ
２）取替え用のカ−トリッジは、ラベンダ−、スズラン、バラ、ハッカなどの各種のハ−ブから抽出したハ−ブ油を好きな香りで楽しむようにする
３）カ−トリッジは簡単に取り替えることが可能で気分によって好みの香りを楽しむことが出来、精神バランスを保つことが出来る
４）香りを楽しむときには、カ−トリッジの蓋を開けて芳香カ−トリッジ団扇を使用する
団扇を提供することである。
【課題を解決するための手段】
【０００４】１）デザイン性の高いカ−トリッジを制作する。
２）団扇の持ち手に取り付けるカ−トリッジは、簡単に取り外しが出来る。
３）芳香液が注入されたカ−トリッジは、団扇を使用するときには蓋を開ける。
４）団扇を使用しないときにはカ−トリッジの蓋を閉める。
５）カ−トリッジに取り付ける蓋は鎖を取り付ける。
【図面の簡単な説明】
【０００５】
【図１】は、芳香液を注入するカ−トリッジの全図
【図２】は、カ−トリッジの上面部からの図
【図３】は、団扇をカ−トリッジに取り付けた側面図
【図４】は、団扇をカ−トリッジに取り付けた正面図
【符号の説明】
【０００６】▲１▼    芳香液を注入する口・芳香液が揮発しない為の蓋（蓋はカ−トリッジに鎖で繋ぐ）
▲２▼    芳香液を保存する部分
▲３▼    団扇の持ち手を挿入する部分
(57)【要約】【課題】これまで使用されていた犬の糞取り容器は構造が複雑且つ高価であるばかりでなく、その処理に手間のかかるものであった。そこで犬の糞を手を汚さずに、簡単に回収し、処理可能と犬の糞回収と処理を容易にする。【解決手段】プラスチック製手袋の甲側上面に、フラット、両側ガゼットの内の一種よりなるプラスティク製のごみ袋を接着剤、加熱圧着等簡単に剥がれない程度の強度で取り付けることにより、犬の糞を簡単に手袋を介して手で回収でき、ごみ袋で覆い処理をする方法。【選択図】図１
0003136155.tif 000002
【実用新案登録請求の範囲】
【請求項１】
プラスチック製手袋の甲側上面に、フラット、両側ガゼットの内の一種よりなるプラスティク製のごみ袋を取り付けたことを特徴とする手袋。
【考案の詳細な説明】
【技術分野】
【０００１】  本考案は、手を汚さずに犬の糞の汚物を容易、且つ確実に回収できるごみ袋付き手袋に関するものである。
【背景技術】
【０００２】  犬の糞の回収持ち帰り引綱兼用の空中糞取具、糞回収容器を備えた糞受け容器を出し入れする犬用採糞器があるが、何れも手間がかかり、又犬の排便の時を同時に合わせて使用するものであり、実用的とはいえないものである。【０００３】  簡単に犬の糞を手を汚さずに回収し、使用者に負担をかけず、簡単に処理できる犬の糞の回収袋が愛犬家に望まれていた。この改善策として手を汚さずに、且つ手で掴むことを可能とし、安価で、簡単に処理できるごみ袋付き手袋を考案した。【０００４】  図１、ごみ袋付き手袋の外観を示す説明図である。図２は、手袋に人の手を差し込む説明図である。図３、図４は、犬の糞を掴む説明図である。図５、図６は、犬の糞を掴んだ手袋をごみ袋で覆う説明図である。
【特許文献１】特開２００４−２２２７１６号公報
【特許文献２】特開２００６−１９１９２８号公報
【考案の開示】
【考案が解決しようとする課題】
【０００５】  解決しようとする問題点は、犬の糞の回収と処理において手間がかかり、高価な容器を必要とすることである。
【課題を解決するための手段】
【０００６】  本考案は、犬の糞の回収し処理するため、プラスティク製手袋の甲側上面に、フラット、両側ガゼットの内の一種よりなるプラスティク製のごみ袋を取り付けたことを特徴とする。
【考案の効果】
【０００７】  本考案のフラット、両側ガゼットの内の一種よりなるプラスティク製のごみ袋を取り付けたプラスティク製手袋は、犬の糞を直接手袋を介して掴み取れるという利点がある。
【考案を実施するための最良の形態】
【０００８】  犬の糞をプラスティク製手袋で簡単に、且つ確実に掴み取り、簡単処理することを、最小の部品点数で、低価格で実現した。
【実施例１】
【０００９】  図１は、本考案ごみ袋付き手袋外観図であって、１〜２は、図２、図３、図４，図５、図６と同様である。３は、図３、図４，図５、図６ｔ同様である。【００１０】  図１のごみ袋付き手袋に、図２のように手を手袋部に差し込み、犬の糞を掴む仕草を図３、図４はで示している。図５は、手袋部を介して手で掴んだ犬の糞をごみ袋で覆う動作を示し、図６は、犬の糞をごみ袋で覆った状態を示す。
【産業上の利用可能性】
【００１１】  ごみ袋付き手袋で容易に犬の糞を掴むことができ、ごみ袋で簡単に多い廃棄処理できることから愛犬家が費用負担も少なく使用できる。【００１２】ごみ袋と手袋は、接着剤、加熱圧着等簡単に剥がれない程度の強度が得られる手段により取り付けられる。
【図面の簡単な説明】
【００１３】
【図１】ごみ袋付き手袋。
【図２】手袋に手の差し込みを示した説明図である。
【図３】手袋で犬の糞を掴む仕草を示した説明図である。
【図４】手袋で犬の糞を掴んだ状態を示した説明図である。
【図５】手袋で犬の糞を掴んだのちごみ袋で覆う状態を示した説明図である。
【図６】ごみ袋で犬の糞を覆った状態を示した説明図である。
【符号の説明】
【００１４】  １    手袋
２    ごみ袋
３    犬の糞
４    人の手
【図１】
0003136155.tif 000003
【図２】
0003136155.tif 000004
【図３】
0003136155.tif 000005
【図４】
0003136155.tif 000006
【図５】
0003136155.tif 000007
【図６】
0003136155.tif 000008
(57)【要約】【課題】  本考案は、トイレ便器清掃具をタワシと手袋を一体化し使い捨てる清掃具とすることにより、トイレ便器内の完全な清掃を汚水の身体及び衣服への付着や飛散を防ぐことを可能とし、又、トイレ室内を衛生的に維持できる。【解決手段】  本考案は不織布タワシを長手袋の指先先端に一体化固定した構造とし、これを手に装着して清掃を行うことにより、便器内の清掃を細部の隅々まで行うことを可能とし、使用後は使い捨て廃棄することでトイレ室内を衛生的に維持することを可能にした。不織布タワシと一体化した長手袋が、汚水の身体及び衣服への付着飛散を防ぐ。清掃終了時には、手袋を裏返してたたみ込み汚れたタワシ部を手を汚さず包み込み廃棄することができる。たいへん衛生的である。【選択図】図１
0003136152.tif 000002
【実用新案登録請求の範囲】
【請求項１】
不織布タワシに５本指ないし４本の指の指分かれの無い手袋を固定一体化し、清掃作業及び使用時の装着、使用時の装着及び脱着を容易にかつ衛生的に行うことのできる使い捨て手袋固定一体化不織布タワシトイレ便器清掃具。
【請求項２】
本トイレ便器清掃具の手袋部の長さを肩まで覆える大きさとし、腕を覆おう部分の口径は先端より上部に向かって大きくすることにより、使用後脱着時に裏返し、汚れた不織布タワシを容易に包み込み、不潔にならず衛生的に使い捨てできる請求項１記載のトイレ便器清掃具。
【考案の詳細な説明】
【技術分野】
【０００１】  本考案は不織布タワシに防水手袋を一体化固定した使い捨てトイレ便器清掃具に関するものである。
【背景技術】
【０００２】  トイレ便器の清掃の場合、柄付ブラシ又はスポンジ付タワシ等を使用して行ない、使用中の清掃具をトイレ室内に設置し保管している。
【考案の開示】
【考案が解決しようとする課題】
【０００３】  トイレ便器の清掃を柄付ブラシにて細部の隅々まで行うことは困難であり汚水が飛散する。又、手で清掃を行う際にゴム手袋とスポンジ状タワシ等を使用するにしても、身体及び衣服に汚水が付着飛散して不潔である。又、これらの便器清掃具を使用中、保管すると汚れが蓄積し非衛生である。従って汚水の身体への付着を防ぎ、衛生的にトイレ便器の隅々まで手で汚れを除去する際には、防水長手袋を不織布タワシと一体化固定した清掃具を使用することで身体及び衣服への汚水汚物の付着飛散を防止することができる。又、清掃使用後はゴミとしてその都度廃棄することがきる。従って、手袋一体化固定不織布タワシの使い捨てトイレ便器清掃具を用いることでトイレ便器を清掃する際の上記の欠点を解決しようとするものである。
【課題を解決するための手段】
【０００４】  本考案は不織布タワシに防水性手袋を一体化固定したもので、手袋先端部に不織布タワシを固定し、又、手袋部は上腕部まで覆う長さの長手袋とし汚水の身体及び衣服への付着飛散を防いでいる。清掃後は手を汚すことなく、汚れた不織布タワシ部を裏返し包み込み廃棄できることで、汚染された清掃具を保管することなくトイレ室内を常に衛生的に維持でき従来の清掃具が持つ問題点を解決している。
【考案の効果】
【０００５】  上述のように本考案の手袋一体化固定不織布タワシは、従来の柄付ブラシに比較してトイレ便器内の細部を隅々まで清掃することが可能となり、清掃作業を効果的に行うことができる。又、タワシと一体化した長手袋により上腕部を覆うことで汚水の付着を完全に防止できる。使用後は手袋部を腕の部分から反転させ裏返し、不織布タワシ部を包み込みながら脱着することで、汚染された先端不織布タワシ部を手を汚すことなく包み込み廃棄することができ、衛生的である。又、清掃具をトイレ室内に設置保管することがなく、トイレ室内の環境を衛生的に維持できる。
【考案を実施するための最良の形態】
【０００６】  不織布タワシはナイロン不織布の厚み５〜８ｍｍのもので、形状は直径６〜１０ｃｍの半円形のものを用い、同じ形状をした手袋部分の先端に沿って接合固定する。手袋部は一般成人の肩まで覆う形状の長手袋状とし、指先の先端より上部にかけて開口部を大きくする。
【実施例】
【０００７】  以下、添付図面に従って一実施例を説明する。１はナイロン不織布等適宜素材で、この厚みは適宜選択する。２はポリエチレン等の防水性のある素材の袋状のもので、使用時の破損防止を可能とする適宜厚みのものを選択する。又、装着を容易にするため、適宜表面をエンボス加工する。２の手袋部は指先先端より開口部にかけて、幅が広がる形状である。３は手袋部の開口部である。４は１の不織布タワシ部が４本の指に対応し分割して手袋部に接合一体化固定させたものである。
【図面の簡単な説明】
【０００８】
【図１】  本考案の手袋一体化固定不織布タワシ使い捨てトイレ便器清掃具の実施例を示す図である。
【図２】  本考案の不織布タワシ部が４本の指に分割したものの図である。
【符号の説明】
【０００９】  １．不織布タワシ部
２．手袋部
３．手袋部開口部
４．４本の指に分割された不織布タワシ
【図１】
0003136152.tif 000003
【図２】
0003136152.tif 000004
(57)【要約】【課題】本考案は既設のアナログテレビ受信機を地上デジタルテレビ受信機として使用できるようにするためのものである。【解決手段】本考案は変換装置を用いて地上デジタルテレビ信号を受信しこれをアナログテレビ信号に変換して送信し既設のテレビアンテナで受信することによりアナログテレビ受信機で地上デジタル放送が視聴できるものである。【選択図】図１
0003136154.tif 000002
【実用新案登録請求の範囲】
【請求項１】
地上デジタルテレビ放送を受信する受信機と受信した映像信号および音声信号をアナログテレビ用信号に変換して送信する送信機を一体化させたところを特徴とする地上デジタルテレビ放送変換装置
【考案の詳細な説明】
【技術分野】
【０００１】  本考案は、地上デジタルテレビ放送を受信しアナログテレビ用信号に変換して送信する変換装置に関するものである。
【背景技術】
【０００２】  地上デジタルテレビ放送を受信しケーブルを介してアナログテレビ受信機の外部信号入力端子に接続することでアナログテレビ受信機を地上デジタルテレビ放送受信機として使用することができる装置は既知されている。しかし、カーナビゲーションのモニターとして使用されている車載用テレビ受信機には外部信号入力端子が無いため上記装置は車載用テレビ受信機に接続することができないので使用することができない。
【考案の開示】
【考案が解決しようとする課題】
【０００３】  ２０１１年にテレビ放送は地上デジタルテレビ放送に完全移行しアナログテレビ放送が廃止されるが、アナログテレビ受信機を地上デジタルテレビ受信機に買い換えることは経済的負担が大きく、さらに車載用テレビ受信機の交換は専門工事を必要とするため個人では容易に出来ない。従って地上デジタルテレビ放送を受信して既設のテレビアンテナで受信できるアナログテレビ信号に変換し送信する機能を備えた変換装置を使用することで前述の欠点を解決しようとするものである。
【課題を解決するための手段】
【０００４】  本考案は、受信アンテナで地上デジタルテレビ放送を受信し受信した映像信号および音声信号をアナログテレビ用信号に変換して送信アンテナから送信し既設のテレビ受信アンテナで受信することで問題点を解決している。
【考案の効果】
【０００５】  上述の様に、本考案の地上デジタルテレビ放送変換装置を設置することで既設のアナログテレビ受信機を交換することなくデジタルテレビ放送を視聴することができるため経済的負担の軽減を図ることができる。
【考案の実施するための最良の形態】
【０００６】  本変換装置本体は手中に容易に保持できる立体物で、デジタルテレビ受信チャンネル選択ボタンと表示画面切替ボタンが本体表面に配置され、受信アンテナ端子口および電源端子口が本体下部に配置されている。受信アンテナは基部に磁石を内蔵することにより車体屋根など鉄製部位に容易に固定可能な構造でありアンテナから延伸したケーブルの信号端子を変換装置本体に差し込むことで地上デジタル放送が受信できる。送信アンテナは変換装置本体に内蔵され変換テレビ信号を送信する。電源は車内シガーソケットに専用電源アダプターを差し込むことで車載バッテリーから１２Ｖが変換装置本体に供給される。変換装置本体に設置された電源スイッチを接にすると変換装置本体が作動する。
【実施例】
【０００７】  以下、添付図面に従って一実施例を説明する。１は地上デジタル放送の変換装置本体、２は受信アンテナでアンテナ基部２ａに固定されている。アンテナ基部２ａは内部に磁石が内蔵されており鉄板車体屋根に接着固定できる。アンテナ基部２ａに接続されているアンテナケーブルの先端には信号プラグ２ｂがあり変換装置本体１に設けた信号ソケット２ｃに差込み接続する。３は電源アダプターで車内のシガーソケットに差込み１２Ｖの供給を受ける。電源アダプター３に接続されている電源ケーブルの先端には電源プラグ３ａがあり変換装置本体１に設けた電源ソケット３ｂに差込み接続する。１ａはチャンネル増減ボタン、１ｂは画面表示サイズ選択ボタンである。５は電源スイッチ、６は電源表示灯である。【０００８】  ４は基盤でありアンテナ２で受信した信号を増幅する回路４ａと映像信号および音声信号に分離する回路４ｂとテレビ信号に変換して送信する回路４ｃから構成され、変換装置本体１に内蔵されている。信号ソケット２ｃから入力した地上デジタル放送信号は基盤４でテレビ信号に変換されて送信アンテナ７から送信される。電源ソケット３ａから供給される車載バッテリー１２Ｖは電源スイッチ５で接断され、接の時に電源表示灯６が点灯し基盤４に供給され作動を行う。【０００９】  本考案の一実施例は上述の如き構成からなるものであるから、アンテナケーブルと電源ケーブルを変換装置本体１に接続し電源スイッチ５を接にして作動状態にし、車載テレビのチャンネルをＵＨＦチャンネル例えば１３チャンネルにセットすることで地上デジタルテレビ放送を受信変換したアナログテレビ信号を既設のテレビアンテナで受信することにより地上デジタルテレビ放送を視聴することができる。
【図面の簡単な説明】
【００１０】
【図１】本考案の受信変換装置の一実施例を示す構成図である。
【図２】本受信変換装置の内部構成図である。
【符号の説明】
【００１１】  １  地上デジタル放送の受信変換装置本体
２  受信アンテナ
３  電源アダプター
４  基盤
５  電源スイッチ
６  電源表示灯
７  送信アンテナ
【図１】
0003136154.tif 000003
【図２】
0003136154.tif 000004
(57)【要約】【課題】  本考案は旅行かばんが、安全且つ、少ない力で楽に移動ができるようにする。【解決手段】  本考案はかばん本体１の底面又は側面に内臓させた電源３でモーター４を動かし、ベルト５及び駆動輪６を駆動させ、スイッチを主電源であるスイッチ７ａを入れておき、更にもち手８のスイッチ７を握ることで駆動させ、スイッチ７ａを切っておくことで、もち手８のスイッチ７は入らない状態にすることが出来る。すなわち、通常の人力によるかばんとして持ち歩くことも可能になる。【選択図】図２
0003136153.tif 000002
【実用新案登録請求の範囲】
【請求項１】
かばん本体の底面部又は側面部等に電池又はそれらに値するもの及びモーターを装着させるとともに、もち手部分又はかばん本体にスイッチを設け、スイッチの切替により自走するかばん
【考案の詳細な説明】
【技術分野】
【０００１】本考案は、旅行かばんの底面又は側面部分に電池又はそれに値するものを内蔵させた旅行かばんに関するものである。
【背景技術】
【０００２】旅行かばんを人力のみにより、押す又は引いていた。
【考案の開示】
【考案が解決しようとする課題】
【０００３】旅行かばんの大きさ、重さに係らず人力により押す又は引いていては、労働的負担が多い。従って、旅行かばんにモーターを取り付け、手動スイッチ連動型で自走させることにより、安全で、楽に旅行かばんを移動させることができ、前述の欠点を解決しようとするものである。
【課題を解決するための手段】
【０００４】本考案は、旅行かばんの底面又は側面部分に電池又はそれに値するものにより駆動する小型のモーターを内蔵させ、それをかばんのもち手部分に装着させた手動式スイッチによりかばんの底面又は側面にある車輪を駆動させ自走させることにより問題を解決している。
【考案の効果】
【０００５】前述のように、モーターによりかばんを自走させることで、力をあまり使わなくてもかばんの移動を楽に出来る。
【考案の実施のための最良の形態】
【０００６】スイッチをかばんのもち手部分についていることで、手を離すとスイッチが切れるようにする。
【実施例】
【０００７】以下、添付図面に従って実施例を説明する。１は通常にある旅行かばん本体、２は旅行かばんの底面又は側面についている補助車輪で、３は電源で部品４、部分７ともにかばん内部で電線で繋がっており、部品８についる部品７ａのスイッチを押した状態で部品７のスイッチをを握ったり離したりの動作によってスイッチの入切が出来る。【０００８】４はモーターで、部品３の電源により駆動し、部品６を部品５により駆動させる。【０００９】本考案の一実施例は前述のような構成からなるものであるから、もち手８についているスイッチ７ａを切っておくことで、駆動スイッチはひってない状態のまま、階段等は従来のかばんと同じように持ち運びが可能である。
【図面の簡単な説明】
【００１０】
【図１】    本考案の自走式かばんの上部断面図である。
【図２】    本かばんの一実例を示す正面図である。
【図３】    本かばんの一実例を示す上部図である。
【符号の説明】
【００１１】    １  かばん本体
２  補助輪
３  電源
４  モーター
５  ベルト
６  駆動輪
７  スイッチ
８  もち手
９  電線
【図１】
0003136153.tif 000003
【図２】
0003136153.tif 000004
【図３】
0003136153.tif 000005
(57)【要約】【課題】フィルムシート同士の密着や予期せぬ付着を解消し、ラップシートの使い勝手を良好にするばかりでなく、広告媒体としても有用な包装用ラップを提供する。【解決手段】  ラップフィルム体１は、所定幅の透明で長尺なラップフィルムシート２と、フィルムシート２と同一の幅と長さに裁断された合紙３をフィルムシート２の裏面に剥離可能に積層してなる。フィルムシート２は、巻回ロールの形態で一般的に市販されている食品包装用ラップフィルムのサイズに裁断したものであり、ポリ塩化ビニリデン、ポリエチレン等の主材質からなる。合紙３の表面（上面）に文字や絵を描出して広告４を掲載する。【選択図】  図１
0003136110.tif 000002
【実用新案登録請求の範囲】
【請求項１】
透明なラップフィルムシートと、広告を掲載した合紙とを剥離可能に積層してなる包装用ラップ。
【考案の詳細な説明】
【技術分野】
【０００１】
本考案は食品等の包装に用いられるラップに関するものである。
【背景技術】
【０００２】
食品等の包装に用いられる包装用ラップフィルムは、一般に、紙管上に巻回された長尺フィルムの巻回ロールとして包装され、紙箱内に収納される。そして使用に際しては、ラップフィルムを巻回ロールから連続的に繰り出し、紙箱に設けられた切断刃によって所望の長さに切断する。
【０００３】
しかしながら、ラップフィルムは被包装物に付着又は粘着し易い性質を有し、この性質は、密封包装する上で望ましい特徴である反面、ラップフィルム同士の密着又は付着や、ラップフィルムの局部的な重なり、皺、或いは、捩れなどを生じさせ、ラップフィルムの取扱いを困難にする欠点でもある。このような、付着性又は粘着性のために、現状では、巻回ロール形式の長尺ラップフィルムが最適且つ唯一のラップフィルムの供給又は販売形態であると考えられている。
【０００４】
そこで、ラップフィルムの各シートの間に薄紙が挿入され、所定寸法に予め裁断されたラップフィルムシートとシートと実質的に同一の寸法に裁断された薄紙と交互に積層し、上下のフィルムシートが薄紙により相互に分離され、シート同士の密着や付着は生じないようにされたラップフィルム積層体が提案されている（特許文献１参照。）。
【０００５】
【特許文献１】特開平７−３３００２１号公報
【考案の開示】
【考案が解決しようとする課題】
【０００６】
しかしながら、上記ラップフィルム積層体は、各シートを一枚毎使用する形態であり、ラップフィルムを所望の大きさにカットするものではないので、シート面積の不足や余りが生じ使い勝手が悪い。本考案もまた上記のような従来技術の問題点に鑑みてなされたものであり、フィルムシート同士の密着や予期せぬ付着を解消しラップシートの使い勝手を良好にするばかりでなく、広告媒体としても有用な包装用ラップを提供することを目的とする。
【課題を解決するための手段】
【０００７】
このため本考案の包装用ラップは、透明な包装用ラップフィルムシートと、広告を掲載した合紙とを剥離可能に積層してなることを特徴とする。
【考案の効果】
【０００８】
本考案によれば、下記の優れた効果がある。
（１）巻回して重なり合うラップフィルムシート同士は、一緒に繰り出される合紙により互いに分離されるので、ラップフィルム同士の密着や予期せぬ付着は生じない。
（２）効果的に広告を掲載することができる新規な広告媒体として有用である。
【考案を実施するための最良の形態】
【０００９】
以下、本考案の実施の形態を図面に示す実施例に基づいて説明する。
図１は本考案に係る包装用ラップフィルム体を箱から引き出した状態を示す斜視図、図２は切断したラップフィルム体を示す分解斜視図、図３はラップフィルム体を箱に収容した状態を示す拡大縦断面図である。
【実施例】
【００１０】
図１乃至図３に示すように、本考案の包装用ラップフィルム体（積層体）１は、紙管５上に巻回された透明な長尺フィルムシート２と、このフィルムシート２の裏面に剥離可能に積層される長尺の合紙３をロール状にして紙箱６内に収納される。そして使用に際しては、ラップフィルム体１を巻回ロールから連続的に繰り出し、紙箱６に設けられた切断刃７によって所望の長さに切断する。
【００１１】
ラップフィルム体１は、所定幅の透明で長尺なラップフィルムシート２（図３中では実線で示す）と、フィルムシート２と同一の幅と長さに裁断された合紙３（図３中では一点鎖線で示す）をフィルムシート２の裏面に剥離可能に積層してなる。本実施例においては、フィルムシート２と合紙３とは、全く同一のサイズに裁断されている。しかしながら、合紙３は、フィルムシート２と大部分で重なり、巻回されるフィルムシート２同士を実質的に分離できるサイズであれば良く、合紙３はフィルムシート２よりも僅かに小さいサイズ又は大きいサイズに裁断しても良い。
【００１２】
フィルムシート２は、巻回ロールの形態で一般的に市販されている食品包装用ラップフィルムのサイズに裁断したものであり、ポリ塩化ビニリデン、ポリエチレン等の主材質からなる。この種のラップフィルムは、被包装物に付着又は密着する性質を有し、食品等の被包装物を密封保存するのに適しており、一般家庭における食品又は台所用品の日常的包装や、商工業的な食品包装材料として広く普及している。他方、合紙３は、フィルムシート２と剥離可能な性質を有する薄紙であれば良い。
【００１３】
合紙３の表面（上面）には、例えば、文字や絵を描出して広告４を掲載する。描出方法としては如何なる方法でもよいが、実用的には印刷して掲載する。その際、使用される印刷インキは人体等に摂取されても無害な性質のものを使用することは言うまでもない。これにより新規な広告媒体となる。
【００１４】
なお、上記実施例において、ラップフィルム体１を紙箱６に収納したが、箱は、樹脂製、木製又は金属製の容器であっても良い。また、ラップフィルム体１の引き出し方向も任意である。
【図面の簡単な説明】
【００１５】
【図１】本考案に係る包装用ラップフィルム体を箱から引き出した状態を示す斜視図である。
【図２】切断したラップフィルム体を示す分解斜視図である。
【図３】ラップフィルム体を箱に収容した状態を示す拡大縦断面図である。
【符号の説明】
【００１６】
１    ラップフィルム体（積層体）
２    フィルムシート
３    合紙
４    広告
５    紙管
６    箱
７    鋸刃
【図１】
0003136110.tif 000003
【図２】
0003136110.tif 000004
【図３】
0003136110.tif 000005
【手続補正書】
【提出日】平成19年8月23日(2007.8.23)
【手続補正１】
【補正対象書類名】実用新案登録請求の範囲
【補正対象項目名】全文
【補正方法】変更
【補正の内容】
【実用新案登録請求の範囲】
【請求項１】
透明なラップフィルムシートと合紙とを剥離可能に積層してなるロール状包装用ラップ。
【請求項２】
合紙に広告が掲載されていることを特徴とする請求項１記載のロール状包装用ラップ。
【手続補正２】
【補正対象書類名】明細書
【補正対象項目名】０００７
【補正方法】変更
【補正の内容】
【０００７】
このため本考案の包装用ラップは、透明なラップフィルムシートと合紙とを剥離可能に積層してなるロール状であることを第１の特徴とし、合紙に広告が掲載されていることを第２の特徴とする。
(57)【要約】  【課題】  水田の畦畔や急勾配の法面での作業をするときに、滑り止めと、足場を安定させ作業を  容易にする補助具を提供するものです。  【解決手段】  本考案の補助具は作業靴を乗せる為の、１と４からなる板状台と、その４には靴を固定  するワンタッチ締め付けバンド５を備え、又該台１の下部には巾、中央から真下に伸び  る横滑りを防ぐ歯２を、前後に取り付け、又後部の２の先に、前後の滑り止めとして、  又補助具が左右に転ぶのを防ぎ安定した歩行が出来るように２に直角に歯３を備えたも  のである。  【選択図】図１
0003136101.tif 000002
【実用新案登録請求の範囲】
【請求項１】
作業靴を乗せる、板状台と、靴を固定させるワンタッチ締め付けバンドを備え、その台の下方に、巾中央に前部から後部に沿って前後２枚の垂直に取り付けた横滑り防止歯と、又それに直角に、下方伸びるように取り付けられた前後の滑り止め、兼左右転倒防止歯を一体に形成されたことを特徴とする傾斜地作業用靴補助具。  
【考案の詳細な説明】
【技術分野】
【０００１】
本考案は水田の急な畦畔や傾斜地での作業をするときに、滑り止めと姿勢を保持するために足元を安定させる傾斜地作業用靴補助具に関する。
【背景技術】
【０００２】
従来、傾斜地での作業補助具は種々提案されている。                                例えば、一例として(特許文献１参照「傾斜地作業用靴底およびこれを有する靴」）がある。
この傾斜地作業用靴底およびこれを有する靴は、靴そのものに滑り止めを付けたものであり、実際に作業する上では傾斜地といえども、一面がそうではなく台地もあれば緩斜面もあり、この作業用靴を履いたままでの作業は無理があり地形に応じて簡単に、脱着が出来ることが求められる。
又、滑り止めとして付けた歯が多く、目詰まりを起こしやすく滑り止め効果が薄れるのでもっとシンプルなものでなければならない。
【０００３】
【特許文献１】特開２００４−２４８１１号公報
【考案の開示】
【考案が解決しようとする課題】
【０００４】
そこで本考案は、様々な地形の変化のあるところで、簡単に脱着が出来て滑り落ちる事なく、足元が安定し傾斜地での作業ができる傾斜地作業用靴補助具を提供することを目的とする。
【課題を解決するための手段】
【０００５】
そのため、本考案の傾斜地作業用靴補助具は、作業靴を乗せる為の、縦と横２枚の板状の組み合わせからなる、板状台と、その横２枚の板には靴を固定するワンタッチ締め付けバンドを備え、又該台の立て方向板下部には巾、中央から真下に伸びる横滑りを防ぐ歯を、前後方向に２枚取り付け、又後部の歯の先に、前後の滑り止めとして、又補助具が左右に転ぶのを防ぎ安定した歩行が出来るように前後の歯に対して直角に歯を備えたものである。
【考案の効果】
【０００６】
本考案は、板状台に靴を乗せ、ワンタッチ締め付けベルトで靴を固定することで補助具を保持することが出来、板状台、巾中央から真下に前後方向についた歯で横滑りを防ぎ、その歯に直角についた歯で前後の滑りを防ぐことが出来、又この歯は左右転倒を防止する。又滑り止めとして付けた歯はシンプルで目詰まりを起こしにくく土に食い込む為足元が安定し安全に作業が出来る。
【考案を実施するための最良の形態】
【０００７】
そのため、本考案の傾斜地作業用靴補助具は、作業靴を乗せる為の、縦と横２枚の板状の組み合わせからなる、板状台と、その横２枚の板には靴を固定するワンタッチ締め付けバンドを備え、又該台の立て方向板下部には巾、中央から真下に伸びる歯を前後方向に２枚取り付け、又後部の歯の先に、前後の歯に対して直角に歯を備えたものである。
【実施例】
【０００８】
本考案の実施例を図面にもとずいて、いかに説明する。
図１の斜視図に示すように、本考案の傾斜地作業用靴補助具は、作業靴を乗せる、１と４を溶接固定したものからなる板状台と、４には作業靴を固定するワンタッチ締め付けバンド５を備え、又該台１の下部には巾、中央から真下に前後方向伸びる歯２を前後に溶接取り付け、又後部の２の先に２と直角になるように３の歯を溶接取り付けたものからなる。
【０００９】
次に、本考案の傾斜地作業用靴補助具の使用方法について説明する。
傾斜地で作業を始めるときは、板状台と靴を締め付けバンドによって固定する。
【００１０】
図５、図６で示すように、法面に立つときは２の歯と４で滑り落ちないよう地面を踏みつけながら歩行し作業をする。
この場合、板状台面は、ほぼ水平に近い状態になるので足元が安定する。
【図面の簡単な説明】
【００１１】
【図１】本考案の傾斜地作業用靴補助具の実施例の斜視図である。
【図２】本考案の傾斜地作業用靴補助具の実施例の側面図である。
【図３】本考案の傾斜地作業用靴補助具の実施例の平面図である。
【図４】本考案の傾斜地作業用靴補助具の実施例の正面図である。
【図５】本考案の傾斜地作業用靴補助具の実施例の使用状態を示す図である。
【図６】本考案の傾斜地作業用靴補助具の実施例の使用状態を示す図である。
【符号の説明】
【００１２】
１：靴を乗せる板状台。
２：横滑り防止用歯。
３：前後の滑り止め、左右転倒防止よう歯。
４：１に溶接された靴を安定させるフック。
５：靴締め付けベルト。
６：ワンタッチ締め付けベルトバックル。
【図１】
0003136101.tif 000003
【図２】
0003136101.tif 000004
【図３】
0003136101.tif 000005
【図４】
0003136101.tif 000006
【図５】
0003136101.tif 000007
【図６】
0003136101.tif 000008
(57)【要約】【課題】精液の漏出を確実に防止できるコンドームを提供する。【解決手段】本考案に係るコンドームは、精液溜まり部２を外部に突出させない形で内蔵する先端部１を有し、先端部１における精液溜まり部２の周囲の外径Ｄがペニス収容部３の外径とほぼ同じであり、先端部１の先端からペニス収容部３の先端までの長さＬ１が精液溜まり部２の長さＬ２の１．５倍以上であることを特徴とする。このコンドームによれば、精液溜まり部２の破損による精液の漏出を確実に防止することができる。【選択図】図１
0003136106.tif 000002
【実用新案登録請求の範囲】
【請求項１】
精液溜まり部を外部に突出させない形で内蔵する先端部を有し、先端部における精液溜まり部の周囲の外径がペニス収容部の外径とほぼ同じであり、先端部の先端からペニス収容部の先端までの長さが精液溜まり部の長さの１．５倍以上であることを特徴とするコンドーム。
【請求項２】
先端部の先端側断面形状が、略半円形であることを特徴とする請求項１に記載のコンドーム。
【請求項３】
精液溜まり部が、ペニス収容部に開口する所定長さの精液通路と、該精液通路に連通し、精液通路の内径より大きな内径を有する精液貯留部とを有して構成されることを特徴とする請求項１又は２に記載のコンドーム。
【考案の詳細な説明】
【技術分野】
【０００１】
本考案は、コンドームに関するものである。
【背景技術】
【０００２】
従来、外部に突出する精液溜まり部を有するコンドームが知られている（下記特許文献１参照）。
【０００３】
しかしながら、従来のコンドームでは、精液溜まり部が外部に突出した構造であるため、精液溜まり部が損傷を受け易く、それ故、精液溜まり部が破損して精液が漏れ出す危険があった。また、精液溜まり部は、先端に向かって内径が小さくなる構造であるため、精液を十分に溜めることができず、その結果、精液は、精液溜まり部からペニス収容部に流出するという問題があった。さらに、未使用のコンドームは、ペニス収容部の表皮が巻き上げられた状態であるため、ペニスに装着する際に、表裏が判別し難いという問題もあった。
【特許文献１】特開２００２−３３６２８７号公報
【考案の開示】
【考案が解決しようとする課題】
【０００４】
本考案が解決しようとする課題は、精液の漏出を確実に防止できるコンドームを提供することである。
【課題を解決するための手段】
【０００５】
本考案は、上記課題を解決するため、精液溜まり部を外部に突出させない形で内蔵する先端部を有し、先端部における精液溜まり部の周囲の外径がペニス収容部の外径とほぼ同じであり、先端部の先端からペニス収容部の先端までの長さが精液溜まり部の長さの１．５倍以上であることを特徴とするコンドームを提供する。
【考案の効果】
【０００６】
本考案のコンドームは、精液溜まり部を外部に突出させない形で内蔵する先端部を有し、先端部における精液溜まり部の周囲の外径がペニス収容部の外径とほぼ同じであり、先端部の先端からペニス収容部の先端までの長さが精液溜まり部の長さの１．５倍以上であるため、精液溜まり部の破損による精液の漏出を確実に防止することが可能になる。
【考案を実施するための最良の形態】
【０００７】
以下、本考案の実施の形態を図面に示した実施例に従って説明する。
【実施例１】
【０００８】
図１は、本考案に係るコンドームの実施例を示す断面図である。この図に示したように、本実施例に係るコンドームは、先端部１、精液溜まり部２及びペニス収容部３を有して構成される。
【０００９】
先端部１は、ペニス収容部３の先端から突出した位置に存する。先端部１の長さＬ１、すなわち、先端部１の先端からペニス収容部３の先端までの長さは、精液溜まり部２の長さＬ２の１．５倍以上に設定される。このように先端部１の長さＬ１を設定することにより、先端部１の先端から精液溜まり部２の先端までの間に十分な厚さを確保できるので、精液溜まり部２が損傷を受けることを抑制し得る。また、先端部１における精液溜まり部２の周囲の外径Ｄは、ペニス収容部３の外径とほぼ同じとなるように設定される。これにより、精液溜まり部２の周囲に先端部１の一部による十分な厚さの防護壁が形成されることになるので、精液溜まり部２が損傷を受けることを抑制し得る。
【００１０】
先端部１は、先端側断面形状が略半円形になるように形成される。これにより、膣への挿入が容易となり、また、挿入時にコンドームにねじれや曲がり等が生じることを防止することができる。先端部１は、適度な硬さを有し、また、コンドームをペニスに装着するときに、先端部１に外力を加えることにより、精液溜まり部２から空気を抜くことができるように、弾性を有する。
【００１１】
精液溜まり部２は、先端部１の内部に形成される。精液溜まり部２は、精液通路２ａと精液貯留部２ｂとを有して構成される。精液通路２ａは、一端側がペニス収容部３に開口し、所定の長さを有する。精液通路２ａは、その他端側が精液貯留部２ｂに開口し、精液貯留部２ｂと連通している。精液貯留部２ｂは、略球状に形成され、精液通路２ａの内径より大きな内径を有する。ペニスから発射された精液は、精液通路２ａを通じて精液貯留部２ｂに流入することになるが、この際、精液貯留部２ｂは、精液通路２ａの内径より大きな内径を有し、十分な容積を確保し得るため、射精後ペニス収容部３に流出する精液の量を少なくすることができる。
【００１２】
上記のように構成されるコンドームによれば、精液溜まり部２を外部に突出させない形で内蔵する先端部１を有し、先端部１における精液溜まり部２の周囲の外径Ｄがペニス収容部３の外径とほぼ同じであり、先端部１の先端からペニス収容部３の先端までの長さＬ１が精液溜まり部２の長さＬ２の１．５倍以上であるため、精液溜まり部２の破損による精液の漏出を確実に防止することができる。
【００１３】
また、未使用時には、従来のコンドームと同様に、ペニス収容部３の表皮が巻き上げられた状態で維持されるが、このとき、先端部１は、ペニス収容部３の表皮が巻き上げられた部分から大きく隆起するように突出しているため、暗い所でもコンドームの表裏が容易に判別できる。
【００１４】
また、従来のコンドームでは、ペニスに装着したときのコンドームの長さがペニスの長さとほぼ同じになるため、膣内に挿入されることにより女性が体感する長さは、ペニスの長さとほぼ等しくなるが、本実施例に係るコンドームによれば、ペニス収容部３の先端から突出した位置に所定の長さを有する先端部１を備えるため、ペニスに装着したときのコンドームの長さをペニスの長さより長くすることができる。したがって、膣内に挿入されることにより女性が体感する長さは、ペニスの長さより長いものとなる。
【００１５】
なお、コンドームの脱落を防止するために、コンドームに脱落防止機能を付与することができる。例えば、ペニス収容部３をテーパ状に形成したり、あるいはペニス収容部３の一部に内径の小さな部分を設けて、ペニスに装着したときにペニスを締め付けることができるようにする等して、コンドームの脱落を防止することができる。
【図面の簡単な説明】
【００１６】
【図１】本考案に係るコンドームの実施例を示す断面図である。
【符号の説明】
【００１７】
１  先端部
２  精液溜まり部
２ａ  精液通路
２ｂ  精液貯留部
３  ペニス収容部
【図１】
0003136106.tif 000003